(57)【要約】      （修正有）【課題】ゴミ袋が破れてゴミ袋の内部にあるゴミを落下することが自動的に行われ、破られたゴミ袋の回収が容易となる回収機を提供する。【解決手段】収容ボックス２１を有し、収容ボックス２１は、一端の上方に入れ口２４が、他端に排出口２５が設けられ、その底部には、互いに隣接して円弧形を呈する、第１フィルターと、第２フィルターと、が設けられている本体２０と、回転ユニットと、モータ３２と、を含む。回転ユニットは、第１回転軸と、第２回転軸と、を有し、第２回転軸は第１回転軸に平行するように設けられている回転装置と、収容ボックスの内部に組み付けられる。前切断ホイール４１と、前切断ホイール４１に平行するように設けられている後切断ホイールと、を有し、前切断ホイール４１の心棒が第１回転軸と連結し、後切断ホイールの心棒が第２回転軸と連結する切断ホイールユニットと、を含む。【選択図】図１
0003188398.tif 000002
【実用新案登録請求の範囲】
【請求項１】
収容ボックスを有し、前記収容ボックスは、一端の上方に入れ口が設けられており、他端に排出口が設けられており、その底部には、互いに隣接して円弧形を呈する、第１フィルターと、第２フィルターと、が設けられている本体と、
回転ユニットと、モータと、を含み、前記回転ユニットは、前記収容ボックスを貫通し前記入れ口に近接する側に位置する第１回転軸と、前記収容ボックスを貫通し前記排出口に近接する側に位置する第２回転軸と、を有し、前記第２回転軸は前記第１回転軸に平行するように設けられており、前記モータの駆動により、前記第１回転軸が回転して、前記第１回転軸に連結されている前記第２回転軸が駆動されて前記第１回転軸と同じ方向に回転する回転装置と、
前記収容ボックスの内部に組み付けられており、前切断ホイールと、前記前切断ホイールに平行するように設けられている後切断ホイールと、を有し、前記前切断ホイールの心棒が前記第１回転軸と連結しており、前記後切断ホイールの心棒が前記第２回転軸と連結しており、前記前切断ホイールの回転方向は前記後切断ホイールの回転方向と同じであり、前記前切断ホイールは、前記第１フィルターの上方に位置しており、前記第１フィルターとの間に第１移動空間が形成されており、その周面に前カッターが複数設けられており、前記後切断ホイールは、前記第２フィルターの上方に位置しており、前記第２フィルターとの間に第２移動空間が形成されており、その周面に後カッターが複数設けられている切断ホイールユニットと、
を含むことを特徴とする回収機。
【請求項２】
前記モータに回転ホイールが設けられており、前記第１回転軸の両端には、左第１回転ホイールと、右第１回転ホイールと、がそれぞれ設けられており、前記右第１回転ホイールは、第１回転ベルトを介して前記回転ホイールと連接しており、前記第２回転軸は第２回転ホイールを有し、前記第２回転ホイールは、第２回転ベルトを介して前記第１回転軸の前記左第１回転ホイールと連接しており、前記第２回転ホイールの直径は、前記左第１回転ホイールの直径よりも小さく、これにより、前記第２回転ホイールの回転数は前記左第１回転ホイールの回転数よりも高く、前記第２回転軸の回転数は前記第１回転軸の回転数よりも高く、前記後切断ホイールの回転数は前記前切断ホイールの回転数よりも高いことを特徴とする、請求項１に記載の回収機。
【請求項３】
前記後切断ホイールの数量は少なくとも一つあり、後方の前記後切断ホイールは、その回転数が隣接する前方の前記後切断ホイールの回転数よりも高く、その回転方向が隣接する前方の前記後切断ホイールの回転方向と同じであることを特徴とする、請求項２に記載の回収機。
【請求項４】
前記前切断ホイールと前記後切断ホイールとには、モータが別々に配されていてもよいことを特徴とする、請求項１に記載の回収機。
【請求項５】
前記前切断ホイールの前記前カッターと前記後切断ホイールの前記後カッターとは、それぞれ円弧形を呈するように設けられていることを特徴とする、請求項１に記載の回収機。
【考案の詳細な説明】
【技術分野】
【０００１】
本考案は、回収機に関し、特に、ゴミ袋が破れてゴミ袋の内部にあるゴミを落下することが自動的に行われ、破られたゴミ袋の回収が容易となる回収機に関するものである。
【背景技術】
【０００２】
人類の文明の発展の過程中に、資源が大量に消耗され廃棄物が大量に発生し、これにより、地球の資源がどんどん減少しており、そして廃棄物の処理が大きな問題となる。現在、地球環境が廃棄物に汚染されることを回避するために、廃棄物を回収して再利用することが重要となる。このように、地球の資源の減少の速度を遅くすることが可能であり、地球環境は廃棄物に汚染されない。
【０００３】
台湾の行政院の環境教育ジャーナルの統計によると、ゴミ袋の使用量は年間１０．５万トンであり、換算すると、年間凡そ２０億個のゴミ袋が使用される。ゴミ袋の膨大な使用量は、地球環境に悪影響を与える。
【０００４】
上記の問題を解決するために、本考案の回収機の目的は、使用されたゴミ袋を回収することにある。
【０００５】
従来、ゴミ袋は、固体又は液体のゴミを収容することが可能であるため、広汎に利用されている。利用されたゴミ袋は、ゴミとなって処理することが必要である。利用されたゴミ袋の処理方式は、一つが埋め立て方式であり、もう一つが焼却方式である。埋め立て方式を採用する場合には、ゴミ袋が自然に分解しないため、土地を汚染する問題がある。焼却方式を採用する場合には、大気を汚染し、そして地球温暖化を促進する問題がある。近年、利用されたゴミ袋を回収する考えが提唱されており、国民に納得されている。しかし、利用されたゴミ袋を回収するときには、工数がかなり掛かり、処理コストが極めて高い。
【考案の概要】
【考案が解決しようとする課題】
【０００６】
本考案の主な目的は、ゴミ袋が破れてゴミ袋の内部にあるゴミを落下することが自動的に行われ、破られたゴミ袋の回収が容易となる回収機を提供することにある。
【課題を解決するための手段】
【０００７】
本考案の回収機によると、収容ボックスを有し、収容ボックスは、一端の上方に入れ口が設けられており、他端に排出口が設けられており、その底部には、互いに隣接して円弧形を呈する、第１フィルターと、第２フィルターと、が設けられている本体と、
回転ユニットと、モータと、を含み、回転ユニットは、収容ボックスを貫通し入れ口に近接する側に位置する第１回転軸と、収容ボックスを貫通し排出口に近接する側に位置する第２回転軸と、を有し、第２回転軸は第１回転軸に平行するように設けられており、モータの駆動により、第１回転軸が回転して、第１回転軸に連結（連動）されている第２回転軸が駆動されて第１回転軸と同じ方向に回転する回転装置と、
収容ボックスの内部に組み付けられており、前切断ホイールと、前切断ホイールに平行するように設けられている後切断ホイールと、を有し、前切断ホイールの心棒が第１回転軸と連結しており、後切断ホイールの心棒が第２回転軸と連結しており、前切断ホイールの回転方向は後切断ホイールの回転方向と同じであり、前切断ホイールは、第１フィルターの上方に位置しており、第１フィルターとの間に第１移動空間が形成されており、その周面に前カッターが複数設けられており、後切断ホイールは、第２フィルターの上方に位置しており、第２フィルターとの間に第２移動空間が形成されており、その周面に後カッターが複数設けられている切断ホイールユニットと、を含むことを特徴とする。
【０００８】
本考案の回収機によると、モータに回転ホイールが設けられており、第１回転軸の両端には、左第１回転ホイールと、右第１回転ホイールと、がそれぞれ設けられており、右第１回転ホイールは、第１回転ベルトを介して回転ホイールと連接しており、第２回転軸は第２回転ホイールを有し、第２回転ホイールは、第２回転ベルトを介して第１回転軸の左第１回転ホイールと連接しており、第２回転ホイールの直径は、左第１回転ホイールの直径よりも小さく、これにより、第２回転ホイールの回転数は左第１回転ホイールの回転数よりも高く、第２回転軸の回転数は第１回転軸の回転数よりも高く、後切断ホイールの回転数は前切断ホイールの回転数よりも高いことを特徴とする。
【０００９】
本考案の回収機によると、後切断ホイールの数量は少なくとも一つあり、後方の後切断ホイールは、その回転数が隣接する前方の後切断ホイールの回転数よりも高く、その回転方向が隣接する前方の後切断ホイールの回転方向と同じであることを特徴とする。
【００１０】
本考案の回収機によると、前切断ホイールと後切断ホイールとには、モータが別々に配されていてもよいことを特徴とする。
【００１１】
本考案の回収機によると、前切断ホイールの前カッターと後切断ホイールの後カッターとは、それぞれ円弧形を呈するように設けられていることを特徴とする。
【考案の効果】
【００１２】
本考案の回収機によれば、ゴミ袋が破れてゴミ袋の内部にあるゴミを落下することが自動的に行われ、破られたゴミ袋の回収が容易となるという効果を有する。
【図面の簡単な説明】
【００１３】
【図１】本考案の一実施例を示す斜視図である。
【図２】本考案の一実施例のレイアウトを示す平面図である。
【図３】本考案の切断ホイールユニットと回転装置の組合を示す斜視図である。
【図４】本考案のゴミ袋及び袋内の袋が切断されてゴミが落下している状態を示す正面図である。
【図５】本考案の第１フィルターと第２フィルターを示す平面図である。
【図６】本考案の切断ホイールユニットの別の実施例を示す斜視図である。
【図７】図６の切断ホイールユニットを示す正面図である。
【図８】本考案の切断ホイールユニットの更に別の実施例を示す斜視図である。
【図９】図８の切断ホイールユニットを示す正面図である。
【図１０】本考案の前切断ホイールと後切断ホイールとにモータが別々に配置されている状態を示す平面図である。
【考案を実施するための形態】
【００１４】
以下、本考案の実施の形態を図面に基づいて説明する。
図１から図４を参照する。図１は本考案の一実施例を示す斜視図であり、図２は本考案の一実施例のレイアウトを示す平面図であり、図３は本考案の切断ホイールユニットと回転装置の組合を示す斜視図であり、図４は本考案のゴミ袋及び袋内の袋が切断されてゴミが落下している状態を示す正面図である。本考案の回収機１０は、本体２０と、回転装置３０と、切断ホイールユニット４０と、を含む。
【００１５】
本体２０は収容ボックス２１を有する。収容ボックス２１の底部には、互いに隣接する、第１フィルター２２と、第２フィルター２３と、が設けられている。第１フィルター２２と第２フィルター２３は、切断ホイールユニット４０に応じて円弧形を呈する。図４及び図５に示すように、第１フィルター２２に第１網穴２２１が複数設けられており、第２フィルター２３に第２網穴２３１が複数設けられている。収容ボックス２１は、一端の上方に入れ口２４が設けられており、他端に排出口２５が設けられている。ゴミ袋５０及び袋内の袋５１は、入れ口２４から投入される。破られたゴミ袋５０及び袋内の袋５１は、排出口２５から外部に排出される。本体の２０の隅に支持脚２６がそれぞれ設けられている。
【００１６】
回転装置３０は、回転ユニット３１と、モータ３２と、を含む。回転ユニット３１は、収容ボックス２１を貫通し入れ口２４に近接する側に位置する第１回転軸３１１と、収容ボックス２１を貫通し排出口２５に近接する側に位置する第２回転軸３１２と、を有する。第２回転軸３１２は第１回転軸３１１に平行するように設けられている。第１回転軸３１１の両端には、左第１回転ホイール３１３と、右第１回転ホイール３１４と、が設けられている。第２回転軸３１２の一端には、左第１回転ホイール３１３に平行する第２回転ホイール３１５が設けられている。
【００１７】
本実施例では、モータ３２は、収容ボックス２１の入れ口２４に近接する側に設けられており、モータ３２の一端に回転ホイール３２１が設けられており、第１回転ベルト４１３により、回転ホイール３２１が右第１回転ホイール３１４と連接している。モータ３２の駆動により、回転ホイール３２１が右第１回転ホイール３１４を駆動すると同時に、第１回転軸３１１が駆動されて左第１回転ホイール３１３を駆動する。左第１回転ホイール３１３と第２回転ホイール３１５の間に補助ホイール３１６が設けられている。第２回転ホイール３１５により、左第１回転ホイール３１３、補助ホイール３１６及び第２回転ホイール３１５が連接されて、第２回転軸３１２と第１回転軸３１１を同じ方向に回転することが可能である。
【００１８】
切断ホイールユニット４０は、前切断ホイール４１と、後切断ホイール４２と、を有する。前切断ホイール４１の心棒が第１回転軸３１１と連結しており、後切断ホイール４２の心棒が第２回転軸３１２と連結しており、前切断ホイール４１の回転方向は後切断ホイール４２の回転方向と同じである。前切断ホイール４１と後切断ホイール４２は、収容ボックスの内部に組み付けられている。前切断ホイール４１は、第１フィルター２２の上方に位置しており、第１フィルター２２との間に第１移動空間２２０が形成されており、その周面に前カッター４１１が複数設けられている。後切断ホイール４２は、第２フィルター２３の上方に位置しており、第２フィルター２３との間に第２移動空間２３０が形成されており、その周面に後カッター４２１が複数設けられている。図４に示すように、前切断ホイール４１と後切断ホイール４２との回転方向が同じであるため、前切断ホイール４１と後切断ホイール４２の間には、前カッター４１１が下方から上方に移動し、後カッター４２１が上方から下方に移動する。このように、ゴミ袋５０及び袋内の袋５１を破ることが可能である。
【００１９】
モータ３２の一端に設けられている回転ホイール３２１は、第１回転ベルト４１３を介して右第１回転ホイール３１４と連接している。左第１回転ホイール３１３は、第２回転ベルト４２３を介して第２回転ホイール３１５と連接している。第２回転ホイール３１５の直径は、左第１回転ホイール３１３の直径よりも小さい。これにより、第２回転ホイール３１５の回転数は左第１回転ホイール３１３の回転数よりも高い。モータ３２の一端に設けられている回転ホイール３２１は、第１回転ベルト４１３を介して右第１回転ホイール３１４と連接している。右第１回転ホイール３１４は、回転数がより低い左第１回転ホイール３１３を駆動するため、前切断ホイール４１がより低い回転数で回転する。次に、左第１回転ホイール３１３は、第２回転ベルト４２３を介して回転数がより高い第２回転ホイール３１５を駆動して同じ方向に回転する。このように、第２回転軸３１２の回転数は、第１回転軸３１１の回転数よりも高く、後切断ホイール４２の回転数は、前切断ホイール４１の回転数よりも高い。図４に示すように、前切断ホイール４１と後切断ホイール４２との回転方向が同じであるため、前切断ホイール４１と後切断ホイール４２の間には、前カッター４１１が下方から上方に移動し、後カッター４２１が上方から下方に移動する。このように、ゴミ袋５０及び袋内の袋５１を破ることが可能である。
【００２０】
図６及び図７を参照する。図６は本考案の切断ホイールユニットの別の実施例を示す斜視図であり、図７は図６の切断ホイールユニットを示す正面図である。切断ホイールユニット４０ａは、前切断ホイール４１ａと、前切断ホイール４１ａに平行するように並んでいる後切断ホイール４２ａ、４３ａと、を含む。前切断ホイール４１ａと後切断ホイール４２ａ、４３ａは、回転装置３０ａの回転ユニット３１ａの第１回転軸３１１ａ、第２回転軸３１２ａ及び第３回転軸３１３ａにそれぞれ嵌め設けられている。第１回転軸３１１ａ、第２回転軸３１２ａ及び第３回転軸３１３ａは、それぞれ回転数が互いに相違する第１回転ホイール３１４ａ、第２回転ホイール３１５ａ及び第３回転ホイール３１６ａを有する。第３回転ホイール３１６ａの直径は第２回転ホイール３１５ａの直径よりも小さく、第２回転ホイール３１５ａの直径は第１回転ホイール３１４ａの直径よりも小さいため、第３回転ホイール３１６ａの回転数は第２回転ホイール３１５ａの回転数よりも高く、第２回転ホイール３１５ａの回転数は第１回転ホイール３１４ａの回転数よりも高い。このように、後切断ホイール４３ａの回転数は後切断ホイール４２ａの回転数よりも高く、後切断ホイール４２ａの回転数は前切断ホイール４１ａの回転数よりも高く、そして後切断ホイール４３ａ、後切断ホイール４２ａ及び前切断ホイール４１ａの回転方向は同じである。回転装置３０ａのモータ３２ａの一端に設けられている回転ホイール３２１ａは、第１回転ベルト４１３ａを介して第１回転ホイール３１４ａを駆動し、これにより、入れ口２４に近接し回転数がより低い前切断ホイール４１ａが回転し、なお、他端の第１回転ホイール３１４ａは、第２回転ベルト４２３ａを介して第２回転ホイール３１５ａを駆動し、これにより、回転数が前切断ホイール４１ａよりも高い後切断ホイール４２ａが回転する。なお、第２回転ホイール３１５ａは、第３回転ベルト４３３ａを介して第３回転ホイール３１６ａを駆動する。このように、前切断ホイール４１ａの周面に設けられている複数の前カッター４１１ａと、後切断ホイール４２ａ、４３ａの周面にそれぞれ設けられている複数の後カッター４２１ａ、４３１ａとにより、ゴミ袋５０及び袋内の袋５１を破れることが可能である。前切断ホイール４１ａと後切断ホイール４２ａ、４３ａとの下方には、第１フィルター２２ａ、第２フィルター２３ａ及び第３フィルター２４ａがそれぞれ設けられている。
【００２１】
図８及び図９を参照する。図８は本考案の切断ホイールユニットの更に別の実施例を示す斜視図であり、図９は図８の切断ホイールユニットを示す正面図である。切断ホイールユニット４０ｂは、前切断ホイール４１ｂと、前切断ホイール４１ｂに平行するように並んでいる後切断ホイール４２ｂ、４３ｂ、４４ｂと、を含む。前切断ホイール４１ｂと後切断ホイール４２ｂ、４３ｂ、４４ｂは、回転装置３０ｂの回転ユニット３１ｂの第１回転軸３１１ｂ、第２回転軸３１２ｂ、第３回転軸３１３ｂ及び第４回転軸３１４ｂにそれぞれ嵌め設けられている。第１回転軸３１１ｂ、第２回転軸３１２ｂ、第３回転軸３１３ｂ及び第４回転軸３１４ｂは、それぞれ回転数が互いに相違する第１回転ホイール３１５ｂ、第２回転ホイール３１６ｂ、第３回転ホイール３１７ｂ及び第４回転ホイール３１８ｂを有する。第４回転ホイール３１８ｂの直径は第３回転ホイール３１７ｂの直径よりも小さく、第３回転ホイール３１７ｂの直径は第２回転ホイール３１６ｂの直径よりも小さく、第２回転ホイール３１６ｂの直径は第１回転ホイール３１５ｂの直径よりも小さいため、第４回転ホイール３１８ｂの回転数は第３回転ホイール３１７ｂの回転数よりも高く、第３回転ホイール３１７ｂの回転数は第２回転ホイール３１６ｂの回転数よりも高く、第２回転ホイール３１６ｂの回転数は第１回転ホイール３１５ｂの回転数よりも高い。このように、後切断ホイール４４ｂの回転数は後切断ホイール４３ｂの回転数よりも高く、後切断ホイール４３ｂの回転数は後切断ホイール４２ｂの回転数よりも高く、後切断ホイール４２ｂの回転数は前切断ホイール４１ａの回転数よりも高く、そして後切断ホイール４４ｂ、後切断ホイール４３ｂ、後切断ホイール４２ｂ及び前切断ホイール４１ｂの回転方向は同じである。回転装置３０ｂのモータ３２ｂの一端に設けられている回転ホイール３２１ｂは、第１回転ベルト４１３ｂを介して第１回転ホイール３１５ｂを駆動し、これにより、入れ口２４に近接し回転数がより低い前切断ホイール４１ｂが回転し、なお、他端の第１回転ホイール３１５ｂは、第２回転ベルト４２３ｂを介して第２回転ホイール３１６ｂを駆動し、これにより、回転数が前切断ホイール４１ｂよりも高い後切断ホイール４２ｂが回転する。なお、第２回転ホイール３１６ｂは、第３回転ベルト４３３ｂを介して第３回転ホイール３１７ｂを駆動し、これにより、回転数が後切断ホイール４２ｂよりも高い後切断ホイール４３ｂが回転する。なお、第３回転ホイール３１７ｂは、第４回転ベルト４４３ｂを介して第４回転ホイール３１８ｂを駆動し、これにより、排出口２５に近接し回転数が後切断ホイール４３ｂよりも高い後切断ホイール４４ｂが回転する。このように、前切断ホイール４１ｂの周面に設けられている複数の前カッター４１１ｂと、後切断ホイール４２ｂ、４３ｂ、４４ｂの周面にそれぞれ設けられている複数の後カッター４２１ｂ、４３１ｂ、４４１ｂとにより、ゴミ袋５０及び袋内の袋５１を破ることが可能である。前切断ホイール４１ｂと後切断ホイール４２ｂ、４３ｂ、４４ｂとの下方には、第１フィルター２２ｂ、第２フィルター２３ｂ、第３フィルター２４ｂ及び第４フィルター２５ｂがそれぞれ設けられている。
【００２２】
図３及び図４を参照しながら本考案の回収機の使用方法を説明する。まず、本体２０の収容ボックス２１の一端に設けられている入れ口２４に、ゴミ袋５０と袋内の袋５１を投入して、モータ３２の一端に設けられている回転ホイール３２１は、第１回転ベルト４１３を介して右第１回転ホイール３１４を回転して、右第１回転ホイール３１４により第１回転軸３１１が駆動されて、第１回転軸３１１により、回転数がより低い左第１回転ホイール３１３が回転し、これにより、前切断ホイール４１がより低い回転数で回転する。次に、左第１回転ホイール３１３は、第２回転ベルト４２３を介して第２回転ホイール３１５を回転する。第２回転ホイール３１５の回転数は左第１回転ホイール３１３の回転数よりも高く、そして第２回転軸３１２の回転方向が左第１回転ホイール３１３の回転方向と同じである。前切断ホイール４１と後切断ホイール４２との回転数が互いに相違し、前切断ホイール４１が時計方向に回転しているときには、後切断ホイール４２も時計方向に回転するため、複数の前カッター４１１により、ゴミ袋５０及び袋内の袋５１が少し破られて、一部だけのゴミ６０が第１フィルター２２の第１網穴２２１を経由して落下する。このとき、ゴミ袋５０が前切断ホイール４１と第１フィルター２２の間の第１移動空間２２０に進入して、複数の前カッター４１１と複数の後カッター４２１によるせん断により、ゴミ袋５０の穴が拡大されて、ゴミ袋５０内のより重いゴミ６０は、図５に示すように、第１フィルター２２の第１網穴２２１と第２フィルター２３の第２網穴２３１を経由して落下する。この後、ゴミ袋５２が後切断ホイール４２と第２フィルター２３の間の第２移動空間２３０に進入して、後切断ホイール４２により、ゴミ袋５２が排出口２５から外部に排出される。このように、ゴミ袋５０又は袋内の袋５１とゴミ６０が第１フィルター２２及び第２フィルター２３の上で混ざることはない。ひいてはゴミ袋５０及び袋内の袋５１を確実に回収することが可能である。
【００２３】
図１０を参照する。図１０は本考案の前切断ホイールと後切断ホイールとにモータが別々に配置されている状態を示す平面図である。すなわち、本考案の切断ホイールユニット４０の前切断ホイール４１と後切断ホイール４２とに、モータ４５が別々に配置されていてもよい。
【産業上の利用可能性】
【００２４】
本考案は、回収機に適用することができる。
【符号の説明】
【００２５】
１０  回収機
２０  本体
２１  収容ボックス
２２、２２ａ、２２ｂ  第１フィルター
２３、２３ａ、２３ｂ  第２フィルター
２４  入れ口
２４ａ、２４ｂ  第３フィルター
２５  排出口
２５ｂ  第４フィルター
２６  支持脚
３０、３０ａ、３０ｂ  回転装置
３１、３１ａ、３１ｂ  回転ユニット
３２、４５、３２ａ、３２ｂ  モータ
４０、４０ａ、４０ｂ  切断ホイールユニット
４１、４１ａ、４１ｂ  前切断ホイール
４２、４２ａ、４３ａ、４２ｂ、４３ｂ、４４ｂ  後切断ホイール
５０  ゴミ袋
５１  袋内の袋
５２  穴付きゴミ袋
６０  ゴミ
２２０  第１移動空間
２２１  第１網穴
２３０  第２移動空間
２３１  第２網穴
３１１、３１１ａ、３１１ｂ  第１回転軸
３１２、３１２ａ、３１２ｂ  第２回転軸
３１３  左第１回転ホイール
３１３ａ、３１３ｂ  第３回転軸
３１４  右第１回転ホイール
３１４ａ、３１５ｂ  第１回転ホイール
３１４ｂ  第４回転軸
３１５、３１５ａ、３１５ｂ  第２回転ホイール
３１６  補助ホイール
３１６ａ、３１７ｂ  第３回転ホイール
３２１、３２１ａ、３２１ｂ  回転ホイール
３１８ｂ  第４回転ホイール
４１１、４１１ａ、４１１ｂ  前カッター
４１３、４１３ａ、４１３ｂ  第１回転ベルト
４２１、４２１ａ、４３１ａ、４２１ｂ、４３１ｂ、４４１ｂ  後カッター
４２３、４２３ａ、４２３ｂ  第２回転ベルト
４３３ｂ  第３回転ベルト
４４３ｂ  第４回転ベルト
【図１】
0003188398.tif 000003
【図２】
0003188398.tif 000004
【図３】
0003188398.tif 000005
【図４】
0003188398.tif 000006
【図５】
0003188398.tif 000007
【図６】
0003188398.tif 000008
【図７】
0003188398.tif 000009
【図８】
0003188398.tif 000010
【図９】
0003188398.tif 000011
【図１０】
0003188398.tif 000012